(57)【要約】【課題】ねじ送り装置により、負荷が大きい荷物の移動を可能にする場合でも、このねじ送り装置の重量を軽量にできるようにする。【解決手段】ねじ送り装置１が、ある軸心２回りに往、復回動Ａ，Ｂ自在となるよう固定側部材３に支承されるボルト体６と、このボルト体６を往、復回動Ａ，Ｂさせるよう駆動する電動機７と、ボルト体６に螺合してこのボルト体６の往、復回動Ａ，Ｂに伴いこのボルト体６の軸方向に往、復移動Ｃ，Ｄ自在とされこの移動に荷物８を連動可能とさせる可動体９とを備える。この可動体９が軸心２上でボルト体６と螺合するナット体１３と、荷物８と連動連結されナット体１３を遊嵌状に嵌入させる可動体本体１５とを備える。可動体本体１５を、ナット体１３の軸方向の各端面に対面する一対の対面板２８，２８を有する枠形状とし、各対面板２８にボルト体６の軸方向の中途部を遊嵌状に貫通させる貫通孔３３をそれぞれ成形する。【選択図】    図１
2004162869.tif 000002
【特許請求の範囲】
【請求項１】
ある軸心回りに往、復回動自在となるよう固定側部材に支承されるボルト体と、このボルト体を上記往、復回動させるよう駆動する電動機と、上記ボルト体に螺合してこのボルト体の往、復回動に伴いこのボルト体の軸方向に往、復移動自在とされこの移動に荷物を連動可能とさせる可動体とを備え、この可動体が上記軸心上で上記ボルト体と螺合するナット体と、上記荷物と連動連結され上記ナット体を遊嵌状に嵌入させる可動体本体とを備えたねじ送り装置において、
上記可動体本体を、上記ナット体の軸方向の各端面に対面する一対の対面板を有する枠形状とし、上記各対面板に上記ボルト体の軸方向の中途部を遊嵌状に貫通させる貫通孔をそれぞれ成形したねじ送り装置。
【請求項２】
上記可動体が、上記ナット体の各端面と上記各対面板との間に介設され、上記軸心の軸方向で上記ナット体と可動体本体との互いの相対移動を阻止する弾性で板状の移動阻止部材を備えた請求項１に記載のねじ送り装置。
【発明の詳細な説明】
【０００１】
【発明が属する技術分野】
本発明は、電動機の駆動に伴い回動するボルト体に連動して荷物が移動させられるようにしたねじ送り装置に関するものである。
【０００２】
【従来の技術】
【０００３】
【特許文献１】特願２００１−１４８１８４号明細書および図面
【０００４】
上記ねじ送り装置には、従来、上記特許文献１で示されるものがある。これによれば、ある軸心回りに往、復回動自在となるよう固定側部材に支承されるボルト体と、このボルト体を上記往、復回動させるよう駆動する電動機と、上記ボルト体に螺合してこのボルト体の往、復回動に伴いこのボルト体の軸方向に往、復移動自在とされこの移動に荷物を連動可能とさせる可動体とを備えている。
【０００５】
上記可動体は、上記軸心上で上記ボルト体と螺合するナット体と、上記荷物と連動連結され上記ナット体を遊嵌状に嵌入させる箱形状の可動体本体と、上記軸心に直交する第１直交軸心回りで上記可動体本体に対し上記ナット体が相対回動可能となるようこのナット体を上記可動体本体に枢支させる第１枢支軸と、上記軸心と第１直交軸心とにそれぞれ直交する第２直交軸心回りで上記可動体本体に対し上記ナット体が相対回動可能となるようこのナット体を上記可動体本体に枢支させる第２枢支軸とを備えている。
【０００６】
上記電動機の駆動に伴い上記ボルト体を往回動もしくは復回動させると、このボルト体に螺合しているナット体が往移動もしくは復移動し、このナット体が上記第１、第２枢支軸を介し上記可動体本体を押動し、この可動体本体に連動連結された荷物が移動させられるようになっている。
【０００７】
上記の場合、第１、第２枢支軸の働きにより、上記ナット体は可動体本体に対し上下、左右に相対回動可能とされ、かつ、上下、左右に相対移動可能とされている。このため、上記ナット体と螺合しているボルト体は上記可動体本体に対し上記各回動と各移動とが可能とされ、これにより、上記ボルト体と可動体との間に相対的な寸法誤差があるとしても、これが吸収されて、上記ねじ送り装置による荷物の移動が円滑に達成される。
【０００８】
【発明が解決しようとする課題】
ところで、上記したように、電動機の駆動に伴いナット体が可動体本体を押動するとき、この押動は上記各枢支軸を介してなされるが、これら各枢支軸はそれぞれ片持ち支持されたものであることから、上記荷物の負荷が大きいときには、上記各枢支軸に生じる応力が大きくなりがちである。
【０００９】
そこで、強度上、上記各枢支軸の径寸法を大きくさせる必要が生じるが、これにより、上記ねじ送り装置の重量が大きくなるおそれを生じる。
【００１０】
また、上記従来の技術では、ナット体および可動体本体と、各枢支軸との間にはわずかながらでも隙間があるため、上記ねじ送り装置の駆動時、上記ナット体および可動体本体と、各枢支軸との間でがたつきが生じるおそれがあり、また、これに基づき衝撃力が生じて寿命上の問題点を生じるおそれもある。
【００１１】
本発明は、上記のような事情に注目してなされたもので、ねじ送り装置により、負荷が大きい荷物の移動を可能にする場合でも、このねじ送り装置の重量を軽量にできるようにすることを課題とする。
【００１２】
また、上記ねじ送り装置の駆動時に、このねじ送り装置の各構成部品の間でがたつきが生じないようにすると共に、寿命を向上させるようにすることを課題とする。
【００１３】
【課題を解決するための手段】
上記課題を解決するための本発明のねじ送り装置は、次の如くである。なお、この項において各用語に付記した符号は、本発明の技術的範囲を後述の「発明の実施の形態」の項の内容に限定解釈するものではない。
【００１４】
請求項１の発明は、ある軸心２回りに往、復回動Ａ，Ｂ自在となるよう固定側部材３に支承されるボルト体６と、このボルト体６を上記往、復回動Ａ，Ｂさせるよう駆動する電動機７と、上記ボルト体６に螺合してこのボルト体６の往、復回動Ａ，Ｂに伴いこのボルト体６の軸方向に往、復移動Ｃ，Ｄ自在とされこの移動に荷物８を連動可能とさせる可動体９とを備え、この可動体９が上記軸心２上で上記ボルト体６と螺合するナット体１３と、上記荷物８と連動連結され上記ナット体１３を遊嵌状に嵌入させる可動体本体１５とを備えたねじ送り装置において、
【００１５】
上記可動体本体１５を、上記ナット体１３の軸方向の各端面に対面する一対の対面板２８，２８を有する枠形状とし、上記各対面板２８に上記ボルト体６の軸方向の中途部を遊嵌状に貫通させる貫通孔３３をそれぞれ成形したものである。
【００１６】
請求項２の発明は、請求項１の発明に加えて、上記可動体９が、上記ナット体１３の各端面と上記各対面板２８との間に介設され、上記軸心２の軸方向で上記ナット体１３と可動体本体１５との互いの相対移動を阻止する弾性で板状の移動阻止部材１７を備えたものである。
【００１７】
【発明の実施の形態】
以下、本発明の実施の形態を図面により説明する。
【００１８】
図２において、符号１はねじ送り装置であり、このねじ送り装置１は、ある軸心２回りに往、復回動Ａ，Ｂ自在となるよう固定側部材３である固定台４に片持ち支持された動力伝達装置５に支承されるボルト体６と、上記動力伝達装置５に支持されてこの動力伝達装置５を介し上記ボルト体６の基部を連動連結させてこのボルト体６を往、復回動Ａ，Ｂさせるよう駆動する電動機７と、上記ボルト体６に螺合してこのボルト体６の往、復回動Ａ，Ｂに伴いこのボルト体６の軸方向に往、復移動Ｃ，Ｄ自在とされ、この移動に荷物８を連動可能とさせる可動体９とを備えている。
【００１９】
ここで、上記荷物８とは、例えば、自動車に搭載されるシートであって、上記ねじ送り装置１はこのシートの昇降用として用いられる。
【００２０】
全図において、上記可動体９は、上記軸心２上でボルト体６と螺合する全体として直方体形状のナット体１３と、上記荷物８を締結具１４により固着させることによりこの荷物８と連動連結され上記ナット体１３を遊嵌状に嵌入させる直方体箱形状の可動体本体１５と、上記ボルト体６とナット体１３とが上記軸心２回りで共回りしないようこの軸心２回りで上記可動体本体１５に対する上記ナット体１３の相対回動を阻止する回動阻止手段１６と、上記軸心２の軸方向で上記可動体本体１５に対する上記ナット体１３の相対移動を阻止する移動阻止部材１７とを備えている。
【００２１】
上記ナット体１３は、上記ボルト体６に螺合してほぼ球形状をなしその中心点２１が上記軸心２上に位置する樹脂製のナット体本体２２と、直方体箱形状をなしてこのナット体本体２２を上記中心点２１回りに回動可能に内有する樹脂製の箱体２３とを備え、上記ナット体本体２２の外面のうちの球状凸面と、上記箱体２３の内面のうちの球状凹面とが上記中心点２１回りで互いに摺動自在に面接触させられている。
【００２２】
上記箱体２３は、上記軸心２の軸方向で２分割されて一対の箱部材２４，２４を備え、これら各箱部材２４の底部に上記ボルト体６の軸方向の中途部を遊嵌状に貫通させる円形の貫通孔２５がそれぞれ成形されている。
【００２３】
上記可動体本体１５は、上記ナット体１３の箱体２３における軸方向の各端面に対面する一対の対面板２８，２８と、上記ボルト体６の各外側方に位置して上記両対面板２８，２８の各端部を一体的に結合させる一対の側板２９，２９とを備え、これら各対面板２８と各側板２９とは全体的に枠形状をなして、大きい強度と剛性とを有している。上記ナット体１３の箱体２３における軸方向の各端面は上記軸心２に直交し、かつ、これら各端面と、これら各端面に対面する各対面板２８，２８の面とは互いに平行とされている。
【００２４】
上記可動体本体１５は、上記各対面板２８と側板２９とで成形された内部空間３０を外方に開放させる両開口のうち、一方の開口を閉じて上記各対面板２８と側板２９とに一体成形される閉じ板３１を備え、この閉じ板３１に上記荷物８が締結具１４により連動連結される。また、上記両開口のうち、他方の開口３２を通して、上記可動体本体１５の内部空間３０に対しナット体１３が出し入れ自在とされている。上記各対面板２８には、上記ボルト体６の軸方向の中途部を遊嵌状に貫通させる円形の貫通孔３３がそれぞれ成形されている。
【００２５】
上記回動阻止手段１６の一部は、上記軸心２回りで可動体本体１５に対し、上記ナット体１３の箱体２３が回動不能に嵌入されたことにより構成されている。また、上記回動阻止手段１６の他部は、上記中心点２１を通り上記軸心２に直交する第１直交軸心３６上で、上記ナット体本体２２の外周面に成形された一対の係止溝３７，３７と、上記箱体２３の両箱部材２４，２４の間に挟まれてその一部が上記係止溝３７に係止させられる係止体３８とを備えている。この係止体３８は上記係止溝３７に係止された状態を保ったまま、上記ナット体１３の径方向で上記箱体２３に対し摺動自在とされ、また、上記係止体３８は、上記第１直交軸心３６回りで上記箱体２３に対し相対回動自在とされている。つまり、上記回動阻止手段１６は、上記軸心２回りで上記可動体本体１５に対する上記ナット体１３の相対回動のみを阻止するようになっている。
【００２６】
上記移動阻止部材１７は、上記ナット体１３の軸方向の各端面と、これら各端面に対面する上記可動体本体１５の各対面板２８の面との間にそれぞれ密嵌状に嵌入されるゴム板製の一対の弾性板材４０，４０を備え、これら各板材４０には上記ボルト体６の軸方向の中途部を遊嵌状に嵌入させる円形の貫通孔４１がそれぞれ成形されている。
【００２７】
上記電動機７の駆動に伴い上記ボルト体６を往回動Ａもしくは復回動Ｂさせると、このボルト体６に螺合している上記ナット体１３のナット体本体２２が往移動Ｃもしくは復移動Ｄし、このナット体本体２２が、このナット体本体２２に順次面接触している箱体２３、移動阻止部材１７の板材４０、および可動体本体１５の対面板２８を押動することにより、この可動体本体１５を押動し、これにより、この可動体本体１５に連動連結された荷物８が所望方向に移動させられる。
【００２８】
上記の場合、ナット体本体２２は中心点２１を中心として上記箱体２３に対しいずれの方向にも相対回動可能であり、また、上記ボルト体６の中途部は上記各貫通孔２５，３３，４１にそれぞれ遊嵌させられている。また、上記ナット体１３は上記第１直交軸心３６の軸方向と、上記軸心２および第１直交軸心３６にそれぞれ直交する第２直交軸心４４の軸方向とで上記可動体本体１５に対しそれぞれ相対移動可能である。
【００２９】
このため、上記ナット体１３のナット体本体２２と螺合しているボルト体６は上記可動体本体１５に対し上記各回動と各移動とが可能とされ、これにより、上記ボルト体６と可動体９との間に相対的な寸法誤差があるとしても、これが吸収されて、上記ねじ送り装置１による荷物８の移動が円滑に達成される。
【００３０】
ここで、前記したように、可動体本体１５を、上記ナット体１３の軸方向の各端面に、互いに平行に対面する一対の対面板２８，２８を有する枠形状とし、上記各対面板２８に上記ボルト体６の軸方向の中途部を遊嵌状に貫通させる貫通孔３３をそれぞれ成形してある。
【００３１】
このため、上記したように、電動機７の駆動に伴い上記ボルト体６を往回動Ａもしくは復回動Ｂさせると、このボルト体６に螺合している上記ナット体１３が往移動Ｃもしくは復移動Ｄし、このナット体１３の各端面が上記可動体本体１５の対面板２８における上記貫通孔３３の周方向の全体にわたり上記移動阻止部材１７の板材４０を介し面接触して上記可動体本体１５を押動し、これにより、この可動体本体１５に連動連結された荷物８が所望方向に移動させられる。
【００３２】
よって、上記したようにナット体１３が可動体本体１５を押動する場合に、この可動体本体１５の対面板２８に広い範囲で、かつ、上記軸心２周りでバランスよく面接触することから、上記荷物８を移動させる際の負荷が大きいとしても、上記可動体本体１５に生じる応力は小さく抑制される。このため、上記可動体本体１５の強度を小さくでき、その分、この可動体本体１５を軽量にできる。しかも、この可動体本体１５は枠形状であって、このような形状は強度と剛性を向上させるものであることから、その分、この可動体本体１５を更に軽量にできる。この結果、ねじ送り装置１の重量を軽量にすることができる。
【００３３】
また、前記したように、可動体９が、上記ナット体１３の各端面と上記各対面板２８との間に介設され、上記軸心２の軸方向で上記ナット体１３と可動体本体１５との互いの相対移動を阻止する弾性で板状の移動阻止部材１７を備えている。
【００３４】
このため、上記したように可動体９が備えるナット体１３と可動体本体１５とは上記移動阻止部材１７により互いに相対移動しないことから、上記電動機７の駆動に伴いボルト体６を往回動Ａもしくは復回動Ｂさせて上記ナット体１３を往移動Ｃもしくは復移動Ｄさせたとき、上記ボルト体６の回転数に上記可動体本体１５の往移動Ｃもしくは復移動Ｄの各移動量が合致する。このため、例えば、上記電動機７の制御により、上記可動体本体１５に連動する荷物８を所望位置にまで精度よく移動させることができるなど、上記ねじ送り装置１の使用の自由度が向上する。
【００３５】
また、上記移動阻止部材１７は板状であるため、この移動阻止部材１７を介し上記ナット体１３と可動体本体１５の対面板２８とは、互いの面接触状態が維持され、前記したように、可動体本体１５に生じる応力は小さく抑制される。
【００３６】
しかも、上記移動阻止部材１７は弾性であるため、上記ねじ送り装置１の駆動時に、ナット体１３と可動体本体１５の対面板２８との間にがたつきが生じるということが、より確実に防止されると共に、これらナット体１３と可動体本体１５の対面板２８との間で、がたつきに基づき互いに衝撃力が伝達されるということが防止されて、ねじ送り装置１の寿命の向上が達成される。
【００３７】
なお、以上は図示の例によるが、上記軸心２は水平の他、鉛直方向や傾斜方向に延びるものであってもよい。また、上記ナット体１３と可動体本体１５は厳密な直方体形状に限定されるものでなく、立方体を含むものとする。また、上記ナット体本体２２と箱体２３とは可動体本体１５と共に金属製であってもよい。また、上記ねじ送り装置１は産業機械や工作機械などにも適用可能である。
【００３８】
【発明の効果】
本発明による効果は、次の如くである。
【００３９】
請求項１の発明は、ある軸心回りに往、復回動自在となるよう固定側部材に支承されるボルト体と、このボルト体を上記往、復回動させるよう駆動する電動機と、上記ボルト体に螺合してこのボルト体の往、復回動に伴いこのボルト体の軸方向に往、復移動自在とされこの移動に荷物を連動可能とさせる可動体とを備え、この可動体が上記軸心上で上記ボルト体と螺合するナット体と、上記荷物と連動連結され上記ナット体を遊嵌状に嵌入させる可動体本体とを備えたねじ送り装置において、
【００４０】
上記可動体本体を、上記ナット体の軸方向の各端面に対面する一対の対面板を有する枠形状とし、上記各対面板に上記ボルト体の軸方向の中途部を遊嵌状に貫通させる貫通孔をそれぞれ成形してある。
【００４１】
このため、上記電動機の駆動に伴い上記ボルト体を往回動もしくは復回動させると、このボルト体に螺合している上記ナット体が往移動もしくは復移動し、このナット体の各端面が上記可動体本体の対面板におけ上記貫通孔の周方向の全体にわたり面接触するよう対向して上記可動体本体を押動し、これにより、この可動体本体に連動連結された荷物が所望方向に移動させられる。
【００４２】
よって、上記したようにナット体が可動体本体を押動する場合に、この可動体本体の対面板に広い範囲で、かつ、上記軸心周りでバランスよく面接触することから、上記荷物を移動させる際の負荷が大きいとしても、上記可動体本体に生じる応力は小さく抑制される。このため、上記可動体本体の強度を小さくでき、その分、この可動体本体を軽量にできる。しかも、この可動体本体は枠形状であって、このような形状は強度と剛性を向上させるものであることから、その分、この可動体本体を更に軽量にできる。この結果、ねじ送り装置の重量を軽量にすることができる。
【００４３】
請求項２の発明は、上記可動体が、上記ナット体の各端面と上記各対面板との間に介設され、上記軸心の軸方向で上記ナット体と可動体本体との互いの相対移動を阻止する弾性で板状の移動阻止部材を備えている。
【００４４】
このため、上記したように可動体が備えるナット体と可動体本体とは上記移動阻止部材により互いに相対移動しないことから、上記電動機の駆動に伴いボルト体を往回動もしくは復回動させて上記ナット体を往移動もしくは復移動させたとき、上記ボルト体の回転数に上記可動体本体の往移動もしくは復移動の各移動量が合致する。このため、例えば、上記電動機の制御により、上記可動体本体に連動する荷物を所望位置にまで精度よく移動させることができるなど、上記ねじ送り装置の使用の自由度が向上する。
【００４５】
また、上記移動阻止部材は板状であるため、この移動阻止部材を介し上記ナット体と可動体本体の対面板とは、互いの面接触状態が維持され、前記したように、可動体本体に生じる応力は小さく抑制され、よって、請求項１の効果が助長される。
【００４６】
しかも、上記移動阻止部材は弾性であるため、上記ねじ送り装置の駆動時に、ナット体と可動体本体の対面板との間にがたつきが生じるということが、より確実に防止されると共に、これらナット体と可動体本体の対面板との間で、がたつきに基づき互いに衝撃力が伝達されるということが防止されて、ねじ送り装置の寿命の向上が達成される。
【図面の簡単な説明】
【図１】図２の部分拡大断面図である。
【図２】ねじ送り装置の全体側面図である。
【図３】図１の３‐３線矢視断面図である。
【図４】図３の４‐４線矢視断面図である。
【図５】ねじ送り装置の斜視展開図である。
【符号の説明】
１      ねじ送り装置
２      軸心
３      固定側部材
６      ボルト体
７      電動機
８      荷物
９      可動体
１３    ナット体
１５    可動体本体
１６    回動阻止手段
１７    移動阻止部材
２１    中心点
２２    ナット体本体
２３    箱体
２５    貫通孔
２８    対面板
２９    側板
３０    内部空間
３３    貫通孔
３６    第１直交軸心
４０    板材
４１    貫通孔
４４    第２直交軸心
Ａ      往回動
Ｂ      復回動
Ｃ      往移動
Ｄ      復移動
【図１】
2004162869.tif 000003
【図２】
2004162869.tif 000004
【図３】
2004162869.tif 000005
【図４】
2004162869.tif 000006
【図５】
2004162869.tif 000007